(57)【要約】【課題】表示部および操作部への目線を変えることなく、操作部で操作しながら表示部の確認ができる携帯電話を提供する。【解決手段】  本願発明における携帯電話は、携帯電話機本体の上端縁に、第１連結ピンを介して、携帯電話機本体に対して略直角に起立可能に枢支連結した一定幅員を有する第１フランジ部と、同第１フランジ部の上端縁に設けたヒンジ部を介して、第１フランジ部に対して略１８０°の角度で開閉自在とした一定幅員を有する第２フランジ部と、同第２フランジ部の上端縁に、第２連結ピンを介して、略水平に回動可能に枢支連結した表示本体とよりなる。このようにして、展開状態では、表示本体は携帯電話機本体の横に位置することができるので、表示本体と携帯電話機本体とへの目線をあまり変えることはない。したがって、携帯電話機本体の操作キーを見ながら、表示本体の確認をすることができ、メールや携帯サイトの閲覧が容易に行える。【選択図】図６
2009231916.tif 000002
【特許請求の範囲】
【請求項１】
操作部を有する携帯電話機本体と、その携帯電話機本体の上端縁で折り畳み自在に連結された表示本体とによりなる携帯電話機において、
携帯電話機本体の上端縁に、第１連結ピンを介して、携帯電話機本体に対して略直角に起立可能に枢支連結した一定幅員を有する第１フランジ部と、
同第１フランジ部の上端縁に設けたヒンジ部を介して、第１フランジ部に対して略１８０°の角度で開閉自在とした一定幅員を有する第２フランジ部と、
同第２フランジ部の上端縁に、第２連結ピンを介して、略水平に回動可能に枢支連結した表示本体とよりなることを特徴とする携帯電話。
【請求項２】
前記表示本体は、携帯電話機本体に対して所定間隙を有して離間して展開されることを特徴とする請求項１に記載の携帯電話。
【発明の詳細な説明】
【技術分野】
【０００１】
この発明は携帯電話、詳しくは携帯電話のヒンジ部の構造に関する。
【背景技術】
【０００２】
従来、携帯電話は、操作部を有する携帯電話機本体と、その携帯電話機本体の上端縁で折り畳み自在に連結された表示本体とから構成されている。そして、携帯電話機本体の上縁部と表示本体の下縁部との間にヒンジを設けた折畳み式の携帯電話が主流となっている（例えば、特許文献１に記載）。最近では、携帯電話機本体および表示本体が薄型のものが開発されている。
【特許文献１】特開２００８−２８７１０号公報
【発明の開示】
【発明が解決しようとする課題】
【０００３】
ところで、前記折畳み式の携帯電話の表示本体を携帯電話機本体に対し展開させたとき、前記表示本体は形態電話機本体の操作部の上方に位置することなる。そして、メールの内容の作成時または携帯サイトの閲覧時には、表示本体を見ながら操作部のキーを見てキー操作を行うこととなる。このため、メール作成時などにおいては、表示部と操作部との確認を一時に行うことができずに、表示本体と操作部とで目の移動が煩雑になってしまう。
【０００４】
この発明は、前記問題を解決するためになされたもので、表示部および操作部への目線を変えることなく、操作部で操作しながら表示部の確認ができる携帯電話を提供することを目的とする。
【課題を解決するための手段】
【０００５】
（１）本発明では、操作部を有する携帯電話機本体と、その携帯電話機本体の上端縁で折り畳み自在に連結された表示本体とによりなる携帯電話機において、携帯電話機本体の上端縁に、第１連結ピンを介して、携帯電話機本体に対して略直角に起立可能に枢支連結した一定幅員を有する第１フランジ部と、同第１フランジ部の上端縁に設けたヒンジ部を介して、第１フランジ部に対して略１８０°の角度で開閉自在とした一定幅員を有する第２フランジ部と、同第２フランジ部の上端縁に、第２連結ピンを介して、略水平に回動可能に枢支連結した表示本体とよりなることを特徴とする。
【０００６】
（２）また、本発明では、前記（１）において、前記表示本体は、携帯電話機本体に対して所定間隙を有して離間して展開されることを特徴とする。
【発明の効果】
【０００７】
（１）請求項１に記載の発明によれば、操作部を有する携帯電話機本体と、その携帯電話機本体の上端縁で折り畳み自在に連結された表示本体とによりなる携帯電話機において、携帯電話機本体の上端縁に、第１連結ピンを介して、携帯電話機本体に対して略直角に起立可能に枢支連結した一定幅員を有する第１フランジ部と、同第１フランジ部の上端縁に設けたヒンジ部を介して、第１フランジ部に対して略１８０°の角度で開閉自在とした一定幅員を有する第２フランジ部と、同第２フランジ部の上端縁に、第２連結ピンを介して、略水平に回動可能に枢支連結した表示本体とよりなる。
【０００８】
このようにして、表示本体を展開した状態では、その表示本体を携帯電話機本体の側方に位置することができるので、表示本体と携帯電話機本体とへの目線をあまり変えることはない。したがって、携帯電話機本体の操作キーを見ながら、表示本体の確認をすることができ、メールや携帯サイトの閲覧が容易に行える。
【０００９】
また、表示本体は、通常の携帯電話のように、表示本体を携帯電話機本体の上方に１８０°で展開した状態で表示部の確認を行うことができ、また、表示本体を携帯電話機本体に対して上方かつ横向きに傾倒して表示部の確認を行うことができ、さらに、表示本体を携帯電話機本体の側方に位置させて表示部の確認を行うことができる。なお、その都度の展開状態において、表示部の画像を上下に反転させている。
【００１０】
（２）請求項２に記載の発明によれば、前記表示本体は、携帯電話機本体に対して所定間隙を有して離間して展開されるので、その間隙部に指を挿入することができ、本実施形態における携帯電話を手に持ちながら操作部の操作を容易にすることができる。
【００１１】
さらに、携帯電話機本体の操作部には、決定キーの周囲に数字キーを配置している。このようにして、数字キーと決定キーとの指の移動を少なくすることができ、操作部での操作性を向上することができる。しかも、表示本体が携帯電話機本体の側方に位置しているので、表示本体で表示確認を行いながら、携帯電話機本体の操作の確認ができると共に、操作部でのキー操作が容易である。
【発明を実施するための最良の形態】
【００１２】
以下、本願発明の実施の形態について、図面を参照しながらより具体的に説明する。図１は本実施形態における携帯電話の全体構成を示す正面図、図２は本実施形態における携帯電話の表示本体が一部展開した状態を示す正面図、図３は本実施形態における携帯電話の表示本体が携帯電話機本体に対して略１８０°で展開した状態を示す平面図、図４は本実施形態における携帯電話の表示本体が携帯電話機本体に対して略１８０°で展開した状態を示す斜視図、図５は本実施形態における携帯電話の表示本体が携帯電話機本体の上方にかつ横にして位置した状態を示す正面図、図６は本実施形態における携帯電話の表示本体が携帯電話機本体に対して所定間隙を有して離間して展開した状態を示す正面図である。
【００１３】
図１および図２に示すように、本実施形態における携帯電話１０は、操作部１５を有する携帯電話機本体１２と、その携帯電話機本体１２の上端縁で折り畳み自在に連結された表示本体１１とによりなる。
【００１４】
表示本体１１は、筐体２１内に液晶表示装置２２を具備している。筐体２１は、金属成型品であるマグネシウム合金等の鋳造フレームよりなる。その筐体２１内に液晶表示装置２２が配設されている。
【００１５】
液晶表示装置２２は、ＴＦＴトランジスタを有するＴＦＴアレイ基板（図示せず）と、カラーフィルタを有する対向基板（図示せず）を貼り合わせ、それらの基板内に液晶が挿入したものである。また、液晶表示装置２２は、それらの裏面側にバックライトを備え、携帯電話１０の使用時、バックライトの光を、前記二枚の基板を通すことにより、表示部２０の確認を行うようにしている。
【００１６】
携帯電話機本体１２は、その表面に操作キーを配列した操作部１５を有している。図  ４および図５に示すように、操作キーは、中央部に決定キー１９を設け、その周囲に数字キー２７および英字キー２８などを配列している。また、文字変換キー、メール用キーおよび携帯サイト用キーなどを決定キー１９の周囲に配列することもできる。そして、通話開始キー２９、通話終了キー３０は、操作部１５の最下段に設けている。
【００１７】
さらに、携帯電話機本体１２は、操作部１５および表示本体１１の電源を供給するバッテリ部（図示せず）を有している。
【００１８】
そのような構成において、本実施形態における携帯電話１０は、携帯電話機本体の上端縁に、第１連結ピンを介して、携帯電話機本体に対して略直角に起立可能に枢支連結した一定幅員を有する第１フランジ部と、同第１フランジ部の上端縁に設けたヒンジ部を介して、第１フランジ部に対して略１８０°の角度で開閉自在とした一定幅員を有する第２フランジ部と、同第２フランジ部の上端縁に、第２連結ピンを介して、略水平に回動可能に枢支連結した表示本体とよりなることを特徴としている。
【００１９】
第１フランジ部１３は、一定幅員を有し、携帯電話機本体１２の上端縁に設けられた凹部２５の左側に設けられた第１連結ピン２３で枢支されている。このようにして、第１フランジ部１３は、携帯電話機本体１２に対して、後述する第２フランジ部１４および表示本体１１を略直角に起立可能としている。
【００２０】
第２フランジ部１４は、第１のフランジ部の上縁部に配設されたヒンジ部１６を介して、第１フランジ部１３と枢支連結されている。ヒンジ部１６は、第１フランジ部１３の上縁部に固設された円柱体１８を、第２フランジ部１４の下縁部に固設された円筒体１７に挿通することにより、第２フランジ部を第１フランジに対して回動自在に設けている。このようにして、第２フランジ部１４は、ヒンジ部１６を介して、第１フランジ部１３に対して略１８０°の角度で開閉自在としている。
【００２１】
さらに、表示本体１１は、第２フランジ部１４の上縁部において、第２連結ピン２４にて枢支連結されている。このようにして、表示本体１１は、第２フランジ部１４の上端縁に略水平に回動自在としている。
【００２２】
また、第１フランジ部１３、第２フランジ部１４およびヒンジ部１６に、折り曲げ自在のフレキシブル基板を配設している。特に、前記ヒンジ部１６の円柱体の中に前記フレキシブル基板を挿通させている。このようにして、第１フランジ部１３および第２フランジ部１４を介して、携帯電話機本体１２のバッテリ部から表示本体１１の液晶表示装置２２に信号の送受信および電源の供給を行うことができる。
【００２３】
次に、本実施形態における携帯電話１０の展開方法について図３〜図６を参照して説明する。
【００２４】
まず、図３および図４に示すように、携帯電話機本体１２に対して、表示本体１１を第１フランジ部１３の上縁部に配設されたヒンジ部１６を介して、略１８０°の角度で回動させる。この状態では、通常の折畳み式の携帯電話の展開状態と同じである。
【００２５】
この後、図５に示すように、表示本体１１を、第２連結ピン２４を介して、第２フランジ部１４に対して水平方向に９０°回転させる。このようにして、表示本体１１を携帯電話機本体１２の上方にかつ横にして位置させることができる。
【００２６】
さらに、図６に示すように、第１フランジ部１３を、第１連結ピン２３を介して、携帯電話機本体１２に対して略直角に起立させる。このようにして、表示本体１１を携帯電話機本体１２の側方に位置させることができる。
【００２７】
また、図６に示す展開状態では、表示本体１１は、操作部１５に対して所定間隙を有して離間して配設されているので、その間隙部Ａに指を挿入することができ、本実施形態における携帯電話１０を手に持ちながら操作部１５の操作を容易にすることができる。
【００２８】
上記した展開方法とは別に、まず、第１フランジ部１３を、第１連結ピン２３を介して、携帯電話機本体１２に対して略直角に起立させる。次いで、ヒンジ部１６を介して表示本体１１を略１８０°の角度で回動させる。この後、表示本体１１を、第２連結ピン２４を介して、第２フランジ部１４に対して水平方向に９０°回転させる。このようにして、表示本体１１を携帯電話機本体１２の側方に位置させることもできる。
【００２９】
さらに、上記した展開方法とは別に、まず、表示本体１１を、第２連結ピン２４を介して、第２フランジ部１４に対して水平方向に９０°回転させ、次いで、ヒンジ部１６を介して略１８０°の角度で回動させる。この後、第１フランジ部１３を第１連結ピン２３を介して携帯電話機本体１２に対して略直角に起立させることにより、表示本体１１を携帯電話機本体１２の側方に位置させることもできる。
【００３０】
なお、表示本体１１は、通常の携帯電話のように、表示本体１１を携帯電話機本体１２の上方に１８０度で展開した状態で表示部２０の確認を行うことができ、また、表示本体１１を携帯電話機本体１２に対して上方かつ横向きに傾倒して表示部２０の確認を行うことができ、さらに、表示本体１１を携帯電話機本体１２の側方に位置させて表示部２０の確認を行うことができる。なお、その都度の展開状態において、表示部２０の画像を上下に反転させている。
【００３１】
このように本実施形態における携帯電話１０は、展開状態では、表示本体１１は携帯電話機本体１２の側方に位置することができるので、表示本体１１と携帯電話機本体１２とへの目線をあまり変えることはない。したがって、携帯電話機本体１２の操作キーを見ながら、表示本体１１の確認をすることができ、メールや携帯サイトの閲覧が容易に行える。
【００３２】
また、表示本体１１は、展開状態では、操作部１５に対して所定間隙を有して離間して配設されているので、その間隙部Ａに指を挿入することができ、本実施形態における携帯電話１０を手に持ちながら操作部１５の操作を容易にすることができる。
【００３３】
従来の操作部では、決定キーは数字キーおよび英字キーの上方に配置されているので、指で数字キーを押してから上方に指を移動して決定キーを押す動作を繰り返していたので、指の移動が煩雑になっていた。
【００３４】
そこで、本実施形態における携帯電話１０には、携帯電話機本体１２の操作部１５の決定キー１９を中央部に配設するとともに、その周囲に数字キー２７、英字キー２８を配列している。このようにして、数字キー２７および英字キー２８と決定キー１９との指の移動を少なくすることができ、数字キー２７および英字キー２８などを押しながら決定キー１９の操作が容易になる。
【００３５】
また、従来の操作キーの配列では１段目に横に１〜３の数字キー、その下に４〜６の数字キー、さらにその下に７〜９の数字キー、さらに下にその他の♯、＊キーなどを配置していた。これに対して、本実施形態における携帯電話１０は、１〜３の数字キーを決定キー１９の左上隅部に、４〜６の数字キーを右上隅に、７〜９の数字キーを右下隅に、その他の♯、＊キーなどを左下隅にそれぞれまとめて配設している。このように、従来の数字キーの配列を踏襲した上で、決定キー１９の周囲にまとめて数字キーを配置しているので、操作部１５でのキー操作を容易にすることができる。
【００３６】
さらに、本実施形態における携帯電話１０は、通話開始キー２９および通話終了キー３０を、操作部１５の最下段に設けている。これにより、図２に示すように、表示本体１１を携帯電話機本体１２に折り畳んだ状態で、第２連結ピン２４を介して、表示本体１１の下端部を所定角度で回動することにより、通話開始キー２９および通話終了キー３０を操作することができ、表示本体１１を折り畳んだ状態でも、通話をすることができる。
【００３７】
しかも、表示本体１１が携帯電話機本体１２の側方に位置しているので、表示本体１１で表示確認を行いながら、携帯電話機本体１２の操作の確認ができると共に、操作部１５でのキー操作が容易である。
【図面の簡単な説明】
【００３８】
【図１】本実施形態における携帯電話の全体構成を示す正面図である。
【図２】本実施形態における携帯電話の表示本体が一部展開した状態を示す正面図である。
【図３】本実施形態における携帯電話の表示本体が携帯電話機本体に対して略１８０°で展開した状態を示す平面図である。
【図４】本実施形態における携帯電話の表示本体が携帯電話機本体に対して略１８０°で展開した状態を示す斜視図である。
【図５】本実施形態における携帯電話の表示本体が携帯電話機本体の上方にかつ横にして位置した状態を示す正面図である。
【図６】本実施形態における携帯電話の表示本体が携帯電話機本体に対して所定間隙を有して離間して展開した状態を示す正面図である。
【符号の説明】
【００３９】
１０  携帯電話
１１  表示本体
１２  携帯電話機本体
１３  第１フランジ部
１４  第２フランジ部
１５  操作部
【図１】
2009231916.tif 000003
【図２】
2009231916.tif 000004
【図３】
2009231916.tif 000005
【図４】
2009231916.tif 000006
【図５】
2009231916.tif 000007
【図６】
2009231916.tif 000008